(57)【特許請求の範囲】
【請求項１】
支持体に張設された振動板と、絶縁座に取り付けられた固定極とをスペーサを介して対向させてなるマイクユニットを備えた一次音圧傾度型の接話マイクロホンであって、
上記支持体が、中央部分に開口された第１音響端子と、上記第１音響端子の周りに開口された第２音響端子とを有する円盤体からなり、上記支持体の上記固定極と対向する面側において、上記第１音響端子の周縁と上記円盤体の周縁の各々に同一高さのリブが環状に形成されており、
上記振動板が、上記第１音響端子に対応する透孔を有するドーナツ形状として上記リブ間に張設され、上記各周縁側のリブにより上記振動板の前部に前部空気室が形成され、上記振動板と上記固定極との間に上記スペーサによるギャップとしての後部空気室が形成されているとともに、上記絶縁座には、上記固定極に形成された連通孔を介して上記振動板の後部空気室に通ずる所定容積の空気室が形成されており、
上記第２音響端子が上記前部空気室に音波を取り入れる前部音響端子として作用し、上記第１音響端子が上記後部空気室に音波を取り入れる後部音響端子として作用し、
上記絶縁座側には後部音響端子が存在せず、上記支持体側に、上記前部音響端子としての上記第２音響端子と上記後部音響端子としての上記第１音響端子とが同一平面に配置されていることを特徴とする接話マイクロホン。
【発明の詳細な説明】
【０００１】
【発明の属する技術分野】
本発明は、話者の口元に近づけて使用される一次音圧傾度型の接話マイクロホンに関し、さらに詳しく言えば、第１および第２の２つの音響端子を同一平面に配置した接話マイクロホンに関するものである。
【０００２】
【従来の技術】
接話マイクロホンは、球面波の近接作用を利用したもので、遠くから到来する音波に対しては感度が低く、近接音源に対しては適切な出力レベルが得られる。したがって、特に周囲騒音の大きい環境の中で、話者の声を明瞭に集音する目的で使用される。そのマイクユニットには、通常、一次音圧傾度型のものが用いられ、低域の周波数応答性が低下するように設計されている。
【０００３】
【発明が解決しようとする課題】
一次音圧傾度型（単一指向性）マイクユニットにおいては、ユニットの後部に音波を取り入れる開口（後部音響端子）が存在する。そのため、筐体内に納める際、その後部音響端子より取り込まれる音波を阻害しないように組み込む必要があった。
【０００４】
また、マイクユニットの前後の音響端子付近に音響インピーダンスが存在すると共振器として動作し、指向周波数応答を劣化させることになる。このため、筐体設計には前部音響端子と後部音響端子の双方に配慮が必要で、これが設計負担となっていた。また防滴処理を行うにも、両方の音響端子にそれぞれ防水膜を用意する必要があった。
【０００５】
【課題を解決するための手段】
本発明によれば、前部および後部の２つの音響端子を同一平面に配置することにより、上記課題が解決される。
【０００６】
すなわち、本発明の接話マイクロホンは、支持体に張設された振動板と、絶縁座に取り付けられた固定極とをスペーサを介して対向させてなるマイクユニットを備えた一次音圧傾度型の接話マイクロホンであって、上記支持体が、中央部分に開口された第１音響端子と、上記第１音響端子の周りに開口された第２音響端子とを有する円盤体からなり、上記支持体の上記固定極と対向する面側において、上記第１音響端子の周縁と上記円盤体の周縁の各々に同一高さのリブが環状に形成されており、上記振動板が、上記第１音響端子に対応する透孔を有するドーナツ形状として上記リブ間に張設され、上記各周縁側のリブにより上記振動板の前部に前部空気室が形成され、上記振動板と上記固定極との間に上記スペーサによるギャップとしての後部空気室が形成されているとともに、上記絶縁座には、上記固定極に形成された連通孔を介して上記振動板の後部空気室に通ずる所定容積の空気室が形成されており、上記第２音響端子が上記前部空気室に音波を取り入れる前部音響端子として作用し、上記第１音響端子が上記後部空気室に音波を取り入れる後部音響端子として作用し、上記絶縁座側には後部音響端子が存在せず、上記支持体側に、上記前部音響端子としての上記第２音響端子と上記後部音響端子としての上記第１音響端子とが同一平面に配置されていることを特徴としている。
【０００７】
このように本発明では、第２音響端子から振動板の前方（反固定電極側）に音波が伝達され、第１音響端子から振動板の後方（固定電極側）に音波が伝達されることから、第２音響端子が前部音響端子であり、第１音響端子が後部音響端子であり、これらの各音響端子は、ともに支持体に形成されている。
【０００８】
このため、各音響端子に対する設計上の配慮は一箇所でよく、設計の自由度が高められる。また、防水膜を設けるにしても、従来のように前部と後部の各音響端子部分に別々に設ける必要がなく、ユニットの前部にのみ設ければよいため、その分、組み立て工数およびコスト低減が達成される。
【０００９】
本発明において、支持体の固定極と対向する面側において、第１音響端子の周縁と円盤体の周縁の各々に、同一高さのリブを環状に形成し、そのリブ間に振動板を張設しているのは、振動板の前部空気室に必要とされる音響容量を確保するためである。
【００１０】
また、本発明で、絶縁座に固定極に形成された連通孔を介して振動板の後部空気室に通ずる所定容積の空気室を形成しているのは、振動板の後部空気室に必要とされる音響容量を確保するためである。
【００１１】
【発明の実施の形態】
次に、図面を参照して、本発明の実施形態について説明する。図１は本発明の接話マイクロホンが備えるマイクユニット１０の断面図である。
【００１２】
このマイクユニット１０は、振動板２１が張設された支持体２２と、固定極３１が取り付けられた絶縁座３２とを備えている。支持体２２と絶縁座３２は、スペーサ１１を介して振動板２１と固定極３１とを対向させた状態で、円筒状のケース１２内に収納され、その両端をかしめることにより、一体的に組み立てられている。
【００１３】
図２は振動板２１と支持体２２を分離した断面図で、図３に支持体２２を固定極３１側から見た底面図を示す。支持体２２はダイアフラムリングとも呼ばれるが、この場合、支持体２２は円盤体よりなる。支持体２２の中央部には第１音響端子（開口）２２１が形成されている。
【００１４】
また、支持体２２の第１音響端子２２１の周りには、第２音響端子２２２（開口）が形成されている。この例において、第２音響端子２２２は第１音響端子２２１の周りの４箇所に設けられている。
【００１５】
支持体２２の固定極３１と対向する側の面において、第１音響端子２２１の周縁および支持体２２の周縁には、同一高さのリブ２２３，２２４がそれぞれ環状に形成されている。
【００１６】
この実施形態において、振動板２１はＰＰＳ（ポリフェニルサルファイド）の高分子フィルムからなり、その中央には第１音響端子２２１に対応する透孔２１１が形成されている。すなわち、振動板２１はドーナツ状に形成されており、内側のリブ２２３と外側のリブ２２４との間に所定のテンションを付与された状態で張設されている。
【００１７】
内側のリブ２２３と外側のリブ２２４とにより、振動板２１の前部側に所定容積の前部空気室２２５が形成されている。これに対して、振動板２１と固定極３１との間には、スペーサ１１にて確保されたギャップとしての後部空気室２２６が形成されている。
【００１８】
また、絶縁座３２は、固定極３１の背面側に所定容積の空気室３２１を有し、この空気室３２１は固定極３１の連通孔３１１を介して後部空気室２２６と連通している。なお、この実施形態において、固定極３１にはエレクトレット材により成極電圧が付与されており、固定極３１から絶縁座３２を貫通して電極端子３１２が引き出されている。
【００１９】
前部空気室２２５には第２音響端子２２２から音波が取り入れられ、後部空気室２２６には第１音響端子２２１から音波が取り入れられる。したがって、本発明においては、第２音響端子２２２が振動板２１の前部音響端子として作用し、第１音響端子２２１が振動板２１の後部音響端子として作用することになる。
【００２０】
音響端子には、例えばメッシュ状織物からなる音響抵抗材が設けられるが、本発明では、前部および後部の各音響端子２２１，２２２がともに同一の支持体２２に設けられているため、その音響抵抗材を共用でき、支持体２２の前面に一つの音響抵抗材２２７を配置すればよい。また、防滴処理のための防水膜２２８も共用することができる。
【００２１】
前部および後部の各音響端子２２１，２２２が、ともに同一平面に配置されているため、平面波では各音響端子２２１，２２２に音圧差が発生しない。これに対して、近接（接話）で使用する際は、各音響端子２２１，２２２の音響端子間距離と音源までの距離の比が小さくなるため集音できる。
【００２２】
参考までに、図４にこのマイクユニット１０の機械等価回路を示す。ｒ２，ｒ３は音響抵抗材２２７による音響抵抗，ｍ０は振動板２１の質量，ｓ０は振動板２１のスチフネス，ｒ０は振動板２１に対する後部空気室２２６の音響抵抗，ｓｆ２は前部空気室内のスチフネス，ｒ１は後部空気室２２６に入り込む音波に対する音響抵抗，ｓｆ１は第１（後部）音響端子２２１の開口部内のスチフネス，ｓｂは空気室３２１内のスチフネスである。
【００２３】
【発明の効果】
以上説明したように、本発明によれば、振動板を支持する支持体を、中央部分に開口された第１音響端子（後部音響端子）と、その周りに開口された第２音響端子（前部音響端子）とを有する円盤体とするとともに、振動板を第１音響端子に対応する透孔を有するドーナツ形状として、第１音響端子と円盤体の周縁との間に張設するようにしたことにより、前部および後部の各音響端子がともに同一平面に存在するマイクユニットが得られる。
【００２４】
したがって、各音響端子に対する設計上の配慮は一箇所でよく、設計の自由度が高められる。また、防水膜を設けるにしても、従来のように前部と後部の各音響端子部分に別々に設ける必要がなく、ユニットの前部にのみ設ければよいため、その分、組み立て工数およびコスト低減が達成される。
【図面の簡単な説明】
【図１】本発明の接話マイクロホンが備えるマイクユニットを示す断面図。
【図２】上記マイクユニットに組み込まれる振動板と支持体を分離して示す断面図。
【図３】上記支持体の底面図。
【図４】上記マイクユニットの機械等価回路。
【符号の説明】
１０  マイクユニット
１１  スペーサ
１２  ケース
２１  振動板
２１１  透孔
２２  支持体
２２１  第１音響端子（後部音響端子）
２２２  第２音響端子（前部音響端子）
２２３，２２４  リブ
２２５  前部空気室
２２６  後部空気室
２２７  音響抵抗材
２２８  防水膜
３１  固定極
３１１  連通孔
３１２  電極端子
３２  絶縁座
３２１  空気室
【図１】
0004769375.tif 000002
【図２】
0004769375.tif 000003
【図３】
0004769375.tif 000004
【図４】
0004769375.tif 000005